【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
情報データを所定の情報量毎に分割したブロックデータの内容に応じてイメージ化されたデータパターンと、該ブロック毎に割り付けられたアドレスを示すブロックヘッダの内容に応じてイメージ化されたヘッダパターンとから少なくとも構成されたブロックが所定のブロック配列フォーマットに従って複数個配列されたコードを、当該一撮像画面内に複数個の上記ブロックが含まれるように撮像して光学的に読み取る読取手段と、
上記読取手段で読み取られた一撮像画面内のコードから上記各ブロックを検出するブロック検出手段と、
上記ブロック検出手段で検出されたブロックのアドレスデータを取得するアドレスデータ取得手段と、
上記ブロック検出手段で検出されたブロックのデータパターンからブロックデータを復元するブロックデータ復元手段と、
上記ブロックデータ復元手段で復元されたブロックデータを、上記アドレスデータ取得手段で取得されたアドレスデータに従って結合し元の情報データを再生する情報データ再生手段と、
を具備し、
上記アドレスデータ取得手段は、
上記ブロック検出手段で一撮像画面内に検出された少なくとも２個以上のブロックから、それぞれのアドレスデータを復元して仮設定する複数アドレス仮設定手段と、
当該読み取り対象のコードにおける各ブロックのアドレス割付に係るフォーマット情報を記憶するフォーマット情報記憶手段と、
上記複数アドレス仮設定手段で仮設定された少なくとも２個以上のアドレスデータと、上記フォーマット情報記憶手段で記憶されたフォーマット情報とに基づいて、各ブロックのアドレスを決定するアドレス決定手段と、
を含むことを特徴とする情報再生システム。
【請求項２】
上記複数アドレス仮設定手段は、
上記仮設定した各アドレスデータが、当該情報再生システムに適用すべきコードのアドレスとして適正なものであるか否かを判定するアドレス適正判定手段と、
上記アドレス適正判定手段で不適正と判定されたアドレスデータを上記アドレス決定手段に出力することを禁止するアドレス出力制御手段と、
を含むことを特徴とする請求項１に記載の情報再生システム。
【請求項３】
上記フォーマット情報記憶手段は、上記フォーマット情報として、当該読み取り対象コードにおける各ブロックの物理的位置と各ブロックに割り付けられたアドレスとの対応関係をテーブル化したテーブル情報を記憶するものであることを特徴とする請求項１に記載の情報再生システム。
【請求項４】
上記フォーマット情報記憶手段は、上記複数アドレス仮設定手段で仮設定された複数個のアドレスデータから、当該読み取られたコードのブロック配列フォーマットを同定する手段を含むことを特徴とする請求項１に記載の情報再生システム。
【請求項５】
上記フォーマット情報記憶手段で記憶されたフォーマット情報が、コード中の各ブロックに対してそのアドレスが連続的に増加乃至は減少するように割り付けられたことを示す情報を含むものであるとき、
上記アドレス決定手段は、
決定したアドレスを記憶するアドレス記憶手段と、
アドレスの決定に際して、上記複数アドレス仮設定手段で仮設定された複数個のアドレスデータのうち、上記アドレス記憶手段に記憶されているアドレスに最も近い値を有するアドレスデータを基準として、残余のブロックのアドレスを決定する手段と、
を含むことを特徴とする請求項１に記載の情報再生システム。
【請求項６】
上記複数アドレス仮設定手段で仮設定された各アドレスデータと、該各アドレスデータに基づいて上記アドレス決定手段で決定された各アドレスデータとの比較結果から、各アドレスに該当するブロックデータの確信度を判定する確信度判定手段と、
上記確信度判定手段での判定結果に基づいて、上記ブロックデータ復元手段に対して次以降の撮像画面における同一アドレスのブロックデータの復元を禁止、または許可する再復元制御手段と、
を更に具備することを特徴とする請求項１に記載の情報再生システム。
【請求項７】
上記フォーマット情報記憶手段で記憶されたフォーマット情報が、コード中の各ブロックに対してそのアドレスが連続的に増加乃至は減少するように割り付けられたことを示す情報を含むものであるとき、
上記アドレス決定手段は、決定したアドレスを記憶するアドレス記憶手段を含み、
上記複数アドレス仮設定手段で仮設定された各アドレスデータと、上記アドレス記憶手段に記憶されている直前に決定されたアドレスとを比較し、アドレスの連続性に基づいて、各アドレスに該当するブロックデータの確信度を判定する確信度判定手段と、
上記確信度判定手段での判定結果に基づいて、上記ブロックデータ復元手段に対して次以降の撮像画面における同一アドレスのブロックデータの復元を禁止、または許可する再復元制御手段と、
を更に具備することを特徴とする請求項１に記載の情報再生システム。
【請求項８】
上記ブロックヘッダは、アドレスのエラー訂正処理を行うためのエラー訂正符号を含むものであって、
上記複数アドレス仮設定手段は、
上記ブロック検出手段で検出された各ブロックからアドレスデータビット列を抽出するアドレスデータビット列抽出手段と、
上記アドレスデータビット列抽出手段で抽出された各アドレスデータビット列についてエラー訂正処理を行うアドレスエラー訂正手段と、
上記アドレスエラー訂正手段における各アドレス毎のエラー訂正数をカウントするエラー訂正数カウント手段と、
を含み、
上記エラー訂正数カウント手段でカウントされた各アドレス毎のエラー訂正数によって、該当するブロックデータの確信度を判定する確信度判定手段と、
上記確信度判定手段での判定結果に基づいて、上記ブロックデータ復元手段に対して次以降の撮像画面における同一アドレスのブロックデータの復元を禁止、または許可する再復元制御手段と、
を更に具備することを特徴とする請求項１に記載の情報再生システム。
【請求項９】
上記ブロックヘッダは、アドレスのエラー訂正処理を行うためのエラー訂正符号を含むものであって、
上記複数アドレス仮設定手段は、
上記ブロック検出手段で検出された各ブロックからアドレスデータビット列を抽出するアドレスデータビット列抽出手段と、
上記アドレスデータビット列抽出手段で抽出された各アドレスデータビット列についてエラー訂正処理を行うアドレスエラー訂正手段と、
を含み、
上記アドレス決定手段で決定された各アドレスデータにエラー訂正符号を付加して元のアドレスデータビット列を生成するアドレスデータビット列生成手段と、
上記アドレスデータビット列生成手段で生成されたアドレスデータビット列と、上記アドレスデータ抽出手段で抽出された各アドレスデータビット列との比較によって、該当するブロックデータの確信度を判定する確信度判定手段と、
上記確信度判定手段での判定結果に基づいて、上記ブロックデータ復元手段に対して次以降の撮像画面における同一アドレスのブロックデータの復元を禁止、または許可する再復元制御手段と、
を更に具備することを特徴とする請求項１に記載の情報再生システム。
【請求項１０】
上記ブロックヘッダは、各ブロック間で共通の補助データを示す補助データビット列を含むものであって、
上記ブロック検出手段で検出された各ブロックから補助データビット列を抽出する補助データビット列抽出手段と、
上記補助データビット列抽出手段で抽出された複数個の補助データビット列に基づいて補助データビット列を決定する補助データビット列決定手段と、
上記補助データビット列決定手段で決定された補助データビット列と上記補助データビット列抽出手段で抽出された各補助データビット列との比較によって、該当するブロックデータの確信度を判定する確信度判定手段と、
上記確信度判定手段での判定結果に基づいて、上記ブロックデータ復元手段に対して次以降の撮像画面における同一アドレスのブロックデータの復元を禁止、または許可する再復元制御手段と、
を更に具備することを特徴とする請求項１に記載の情報再生システム。
【手続補正２】
【補正対象書類名】明細書
【補正対象項目名】０００７
【補正方法】変更
【補正の内容】
【０００７】
【課題を解決するための手段】
上記の目的を達成するために、本発明の一態様による情報再生システムは、情報データを所定の情報量毎に分割したブロックデータの内容に応じてイメージ化されたデータパターンと、該ブロック毎に割り付けられたアドレスを示すブロックヘッダの内容に応じてイメージ化されたヘッダパターンとから少なくとも構成されたブロックが所定のブロック配列フォーマットに従って複数個配列されたコードを、当該一撮像画面内に複数個の上記ブロックが含まれるように撮像して光学的に読み取る読取手段と、
上記読取手段で読み取られた一撮像画面内のコードから上記各ブロックを検出するブロック検出手段と、
上記ブロック検出手段で検出されたブロックのアドレスデータを取得するアドレスデータ取得手段と、
上記ブロック検出手段で検出されたブロックのデータパターンからブロックデータを復元するブロックデータ復元手段と、
上記ブロックデータ復元手段で復元されたブロックデータを、上記アドレスデータ取得手段で取得されたアドレスデータに従って結合し元の情報データを再生する情報データ再生手段と、
を具備し、
上記アドレスデータ取得手段は、
上記ブロック検出手段で一撮像画面内に検出された少なくとも２個以上のブロックから、それぞれのアドレスデータを復元して仮設定する複数アドレス仮設定手段と、
当該読み取り対象のコードにおける各ブロックのアドレス割付に係るフォーマット情報を記憶するフォーマット情報記憶手段と、
上記複数アドレス仮設定手段で仮設定された少なくとも２個以上のアドレスデータと、上記フォーマット情報記憶手段で記憶されたフォーマット情報とに基づいて、各ブロックのアドレスを決定するアドレス決定手段と、
を含むことを特徴とする。


【手続補正３】
【補正対象書類名】明細書
【補正対象項目名】０００８
【補正方法】変更
【補正の内容】
【０００８】
即ち、本発明の一態様による情報再生システムによれば、当該読み取り対象のコードにおける各ブロックのアドレス割付に係るフォーマット情報をフォーマット情報記憶手段に記憶しておき、複数アドレス仮設定手段にて、ブロック検出手段で一撮像画面内に検出された少なくとも２個以上のブロックからそれぞれのアドレスデータを復元して仮設定し、アドレス決定手段により、この仮設定された少なくとも２個以上のアドレスデータと上記フォーマット情報記憶手段で記憶されたフォーマット情報とに基づいて各ブロックのアドレスを決定する。よって、注目ブロックと所定の位置関係にある複数ブロックのアドレス情報からフォーマット情報に基づいて注目ブロックのアドレスを決定することができ、これにより、単独ではアドレスエラーとなる場合にもエラー訂正が可能となり、ブロックデータが別のアドレスのデータと誤って読み取られることによるコード再生不良を低減することが可能となる。また、一撮像画面内のブロックのアドレス情報を利用するため、手動走査においてもその効果を発揮することができる。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】